(57)【要約】  本発明は、固定装置ＤＦに関し、第一及び第二の吸引カップＶＥ１とＶＥ２が背中合わせに対生して設けられている。さらに、前記第一の吸引カップＶＥ１及び前記第二の吸引カップＶＥ２はそれぞれ第一及び第二の係止部材ＯＶ１，ＯＶ２を備え、二つの前記係止部材は、二つの前記吸引カップＶＥ１，ＶＥ２が予め決められた角度で相対的にオフセットしてそれぞれ応力が生じない位置にあるときに、協働するように構成されている。
2008525075.tif 000002
【特許請求の範囲】
【請求項１】
第一及び第二の吸引カップＶＥ１とＶＥ２が背中合わせに対生して設けられた固定装置であって、
前記第一の吸引カップＶＥ１及び前記第二の吸引カップＶＥ２はそれぞれ第一及び第二の係止部材ＯＶ１，ＯＶ２を備え、前記第一及び第二の係止部材は、二つの前記吸引カップＶＥ１，ＶＥ２が予め決められた角度で相対的にオフセットしてそれぞれ応力が生じない位置にあるときに、協働するように構成されていることを特徴とする固定装置。
【請求項２】
請求項１に記載の固定装置であって、
少なくとも前記吸引カップＶＥ１，ＶＥ２の一つは平らな底ＦＯ１，ＦＯ２を有することを特徴とする。
【請求項３】
請求項１または２に記載の固定装置であって、
前記吸引カップＶＥ１，ＶＥ２の間に設けられた少なくとも一つの環状部ＡＮを含むことを特徴とする。
【請求項４】
請求項１から３の何れかに記載の固定装置であって、
前記吸引カップＶＥ１，ＶＥ２の少なくとも一つに設けられた舌状部ＬＡを含むことを特徴とする。
【請求項５】
請求項１から４の何れかに記載の固定装置であって、
前記吸引カップＶＥ１，ＶＥ２の一つの底に配置された台部ＢＵを含むことを特徴とする。
【請求項６】
請求項１から５の何れかに記載の固定装置であって、
前記第一の係止部材ＯＶ１は、前記第二の係止部材ＯＶ２に設けられたもう一方の止め部ＥＲ２１，ＥＲ２２，ＥＲ２３，ＥＲ２４と係合するための少なくとも一つの止め部ＥＲ１１，ＥＲ１２，ＥＲ１３，ＥＲ１４を備えていることを特徴とする。
【請求項７】
請求項１から５の何れかに記載の固定装置であって、
前記第一の係止部材ＯＶ１は少なくとも一つの第一の穴ＯＲ１１を備え、前記第二の係止部材ＯＶ２は前記第一の穴ＯＲ１１に係合するための少なくとも一つの第一の突部ＰＲ２１を備えていることを特徴とする。
【請求項８】
請求項７に記載の固定装置であって、
組み立て品の少なくとも一つの要素には、前記穴ＯＲ１１と前記突部ＰＲ２１が脚部ＰＳ１１，ＰＳ２１に配置されていることを特徴とする。
【請求項９】
請求項７または８に記載の固定装置であって、
前記第二の係止部材ＯＶ２は少なくとも一つの第二の穴ＯＲ２を備え、前記第一の係止部材ＯＶ１は少なくとも一つの第二の突部ＰＲ１２を備えていることを特徴とする。
【請求項１０】
請求項６または９に記載の固定装置であって、
前記係止部材ＯＶ１，ＯＶ２が同一構造であることを特徴とする。
【請求項１１】
請求項１から１０の何れかに記載の固定装置であって、
当該装置は単一部品として作られていることを特徴とする。
【請求項１２】
請求項１から１１の何れかに記載の固定装置であって、
当該装置はエラストマー材料からなることを特徴とする。
【発明の詳細な説明】
【技術分野】
【０００１】
本発明は、二つの吸引カップを備えた固定装置に関する。
【背景技術】
【０００２】
任意の物品を支持面上に固定するために一つあるいはそれ以上の吸引カップを用いた、様々な固定装置が知られている。支持面は、スムースかつ平面で、例えば、壁や仕切りの一部であって、吸引カップの開口部がそれらに対して押し付けられる。吸引カップが押し付けられている間に吸引カップ内に含まれていた空気の一部がその場所から放出されて、支持面への圧力が生じる。吸引力は吸引カップ内にこのように発生し、その外面に吸引力が作用することにより吸引カップは支持面に吸着する。このような装置はまた、例えば、フック，留め具，針の穴，磁石などのような伝統的な固定手段を、吸引カップの開口側と反対側に備えている。これにより、タオルや顔ふき等のバスルームの小物、メモ用紙や日除け等の自動車用の小物、定規やキーリング等の事務用の小物を吊るすか引っ掛けることが可能である。
【０００３】
二つの吸引カップを背中合わせに配置した装置を用いることも知られている。このような状態では、第一の吸引カップは支持面を構成するスムースな表面に事前に取り付けられる。第二の吸引カップは固定手段の代わりとなる。スムースな部分を有する物品を保持するのに用いられる。スムースな部分は、地図のように平面であってもよいし、ヘルメットのように湾曲していても良い。
【発明の開示】
【発明が解決しようとする課題】
【０００４】
いずれにせよ、このような装置には幾つかの問題が生じる。
【０００５】
第一に、吸引カップの吸引効果の吸着力には限界がある。
【０００６】
第二に、装置の弾性により、第二の吸引カップは支持面に対して傾きやすく、または自身の軸回りに回転しやすい。これらの望まれていない動きは、支持面が動く時、例えば、特に支持面が自動車内に有る場合にしばしば生じ、増幅される。
【０００７】
本発明の目的は、吸引カップの吸引効果を増大し、装置の安定性向上を図ることである。
【課題を解決するための手段】
【０００８】
本発明によれば、固定装置が備えた第一及び第二の吸引カップは背中合わせに対生して設けられ、さらに、第一の吸引カップ及び第二の吸引カップはそれぞれ第一及び第二の係止部材を備え、前記第一及び第二の係止部材は、二つの前記吸引カップが予め決められた角度で相対的にオフセットしてそれぞれ応力が生じない位置にあるときに、協働するように構成されている。
【０００９】
この配置は、上記の問題の両方に対して共通に解決するものであり、その解決は、第一に吸引効果を増大することによって、また第二に安定性が向上することによって成される。
【００１０】
この固定装置は、３次元のあらゆる方向に向けられた支持面に、任意の形状の物品を固定するために使用することができる。
【００１１】
好ましくは、少なくとも前記吸引カップの一つは平らな底を有する。
【００１２】
有利には、この装置は前記吸引カップの間に設けられた少なくとも一つの環状部を含む。
【００１３】
さらに、この装置は前記吸引カップの少なくとも一つに設けられた舌状部を含む。
【００１４】
加えて、この装置は前記吸引カップの一つの底に配置された台部を含む。
【００１５】
第一の実施形態では、第一の係止部材は、第二の係止部材に設けられたもう一方の止め部と係合するための少なくとも一つの止め部を備えている。
【００１６】
第二の実施形態では、第一の係止部材は少なくとも一つの第一の穴を備え、第二の係止部材は前記第一の穴に係合するための少なくとも一つの第一の突部を備えている。
【００１７】
好ましくは、組み立て品の少なくとも一つの要素には、前記穴と前記突部が脚部に配置されている。
【００１８】
加えて、前記第二の係止部材は少なくとも一つの第二の穴を備え、前記第一の係止部材は少なくとも一つの第二の突部を備えている。
【００１９】
本発明の付加的な特徴によれば、採用された実施形態にかかわらず、両方の係止部材が同一構造である。
【００２０】
有利には、この装置は単一部品として作られている。
【００２１】
好ましくは、この装置はエラストマー材料からなる。
【発明を実施するための最良の形態】
【００２２】
本発明は、添付された図面を参照して例示された下記の実施形態の説明に基づき、更に詳細に示される。
【００２３】
一つ以上の図に示された要素は全て同じ符号を付して示している。
【００２４】
図１に示すように、固定装置は、背中合わせの配置で第一及び第二の吸引カップＶＥ１とＶＥ２を備えている。それらは概ね同軸である。それらの深さと直径は異なっていても良い。
【００２５】
第一の吸引カップＶＥ１は、その開口部を下方へ向けており、例えばテーブルなどの水平でスムースな支持面（図示せず）に対して適用されることができる。
【００２６】
第二の吸引カップＶＥ２は、その開口部を上方へ向けており、例えば携帯電話などのスムースな支持面を有する物品（図示せず）のスムースな部分に対して適用されることができる。
【００２７】
吸引カップＶＥ１とＶＥ２の各開口部の各平面は、概ね平行である。
【００２８】
第一の吸引カップＶＥ１は、第一の係止部材ＯＶ１を備えており、第二の吸引カップＶＥ２は、第二の係止部材ＯＶ２を備えている。これらの係止部材は、協働することができるように、互いに向き合っている。
【００２９】
この例では、係止部材ＯＶ１，ＯＶ２は、安静位で互いに接触していない状態を示しており、これは単なる原形の状態である。
【００３０】
第一の実施形態では、第一の係止部材ＯＶ１は止め部ＥＲ１１，ＥＲ１２，ＥＲ１３，ＥＲ１４を有する。第二の係止部材ＯＶ２は同様に止め部ＥＲ２１，ＥＲ２２，ＥＲ２３，ＥＲ２４を有する。各止め部は、緩やかな傾斜の一つの側面と、吸引カップＶＥ１，ＶＥ２の各開口部の平面に対して実質的に垂直な急勾配のもう一つの側面を備えている。静止時には、緩やかな傾斜の側面は原形の状態で示されている。
【００３１】
装置が作動状態におかれると、作業者は第二の吸引カップＶＥ２を第一の吸引カップＶＥ１に対して回旋させる。これにより、第二の係止部材ＯＶ２の各止め部が第一の係止部材ＯＶ１の各止め部に対して移動する。実施に必要な最小変位は、実質的に一つの止め部の長さに対応する。この例では、第二の係止部材ＯＶ２の止め部ＥＲ２１，ＥＲ２２，ＥＲ２３，ＥＲ２４は、それぞれ、急勾配に傾斜した側面が第一の係止部材ＯＶ１の止め部ＥＲ１１，ＥＲ１２，ＥＲ１３，ＥＲ１４の急勾配に傾斜した側面に対して接触することによって、負荷を支えるようになっている。二つの吸引カップは相互に係止される。ねじりトルクによりもたらされる止め部に作用する力は装置の弾性により発生する。
【００３２】
当然のことながら、二つの係止部材ＯＶ１，ＯＶ２は同一構造である。
【００３３】
係止部材はこのように環状形であり、複数の角度の位置に多くの止め部がそれぞれ設けられている。本発明は、各係止部材が少なくとも一つの止め部を有するものにも当然適合する。
【００３４】
図２に示すように、第一の吸引カップＶＥ１は、平らな底部ＦＯ１を有する。同様のことが第二の吸引カップＶＥ２にも適用され、それは平らな底部ＦＯ２を有する。
【００３５】
この装置はまた、二つの吸引カップＶＥ１，ＶＥ２の間に設けられた環状部ＡＮを有する。環状部を設ける目的は、望まない変形や、吸引カップＶＥ１，ＶＥ２の早すぎる剥離などの不具合を生じさせることなく、装置を構成する材質の柔軟性により得られる長所から利益を得る為に、装置の構造を強化することである。
【００３６】
当然、本発明を逸脱しない範囲で、一つまたはそれ以上の環状部を配置することができる。
【００３７】
この装置はまた、第二の吸引カップＶＥ２の開口部の外側に、舌状部ＬＡを有する。この舌状部ＬＡを引っ張ることで、支持された物品から第二の吸引カップＶＥ２を分離することができる。また、図示しないが、同様の舌状部を第一の吸引カップＶＥ１に設けることもできる。
【００３８】
この装置はまた、第二の吸引カップＶＥ２の底に配置された台部ＢＵを備えている。第二の吸引カップＶＥ２をその支持部に取り付けるとき、ユーザが台部ＢＵに向けて接触して生じさせた圧力が、二つの吸引カップＶＥ１，ＶＥ２が接触している箇所である装置の中央部に伝わる。この圧力は、第一の吸引カップＶＥ１を平らにさせ、第一の吸引カップＶＥ１とその支持面との間を吸着させるという効果を奏する。
【００３９】
図３に、この装置の第二の実施形態が作動時の状態で示されている。第一の吸引カップＶＥ１は既に支持面に固定されており、作業者は第二の吸引カップＶＥ２に牽引摩擦を生じさせて第一の吸引カップＶＥ１に対して回動させる。二つの吸引カップは相互に係止される。
【００４０】
装置の左側において、第一の吸引カップＶＥ１に締め付け固定された第一の係止部材は、第一の穴ＯＲ１１を備えている。対称的に、第二の吸引カップＶＥ２に締め付け固定された第二の係止部材は、第一の突部ＰＲ２１を備えている。
【００４１】
装置の右側において、第一の係止部材はまた、第二の突部ＰＲ１２を備えており、第二の係止部材は、第二の穴ＯＲ２２を備えている。
【００４２】
第一の突部ＰＲ２１は、第一の穴ＯＲ１１に係止した状態で示されている。同様に、第二の突部ＰＲ１２は、第二の穴ＯＲ２２に係止されている。
【００４３】
第一の突部ＰＲ２１は、好ましくは脚部ＰＳ２１に配置され、第一の穴ＯＲ１１は同様に他の脚部ＰＳ１１に配置されている。同様に、第二の突部ＰＲ１２と第二の穴ＯＲ１２は、他の脚部ＰＳ１２とＰＳ２２に配置されている。
【００４４】
脚部ＰＳ１１，ＰＳ１２，ＰＳ２１，ＰＳ２２は、二つの吸引カップが相互に離れてしまうことを防いで保持し、付着力を強化している。
【００４５】
装置が安静位にあるときは、吸引カップの突部と穴は、他方の吸引カップの対応する穴と突部に入っており、換言すると、角度がオフセットするとこれらの要素は向かい合わせではなくなる。さらに、第二の吸引カップの一つの要素の頂部は、第一の吸引カップの対応する要素の基部より高い。要素の対が相互に係止するためには、二つの吸引カップが、相対的に回動可能で別々に移動することが必要である。
【００４６】
この装置は単一部品として作られていてもよく、換言すると、例えば樹脂成形などで単一のブロックとして作られていても良い。上記と同様の多くの利点があり、特に、性能、形状、価格で利点がある。
【００４７】
この装置はエラストマー材料で作られていても良い。材料の組み合わせにより一定の利点があり、それは例えば、素晴らしい柔軟性と、弾性の為に生じる変形に対する良好な適性と、高温環境にも耐え得る良好な性能である。加えて、空気に対する気孔率が非常に低く、生体適合性が素晴らしく良い。
【００４８】
本発明は、多くの用途に適している：
・携帯電話、リモコン、計算機や小型カメラのような小型電子機器を、例えば、ポータブルコンピュータのカバーや自動車のフロントガラスに保持する；
・マヨネーズ等のエマルジョンやホイップクリームのための滑らかな底を有する容器、冷めるまでに置いておく必要のある揚げ物用鍋、消毒する間安置する必要のあるボウル、等のための滑り止めと耐熱性の安全パッド、特に、移動中の自動車や列車、船、飛行機での使用；
・保護用ヘルメットを、二輪車に付けて保持する、スキーをしている間に保持する、建築現場にいる間に保持する、サイクリング中に保持する、等、さらに、風船やゆで卵ですら固定する；
・二つのスキー板、ダイバーの二つの水かきの間を安全に固定して、それらの取り扱いや持ち運びを容易にする；
・装飾的または豪華な皿やグラスのための魅力的な支持材；
・病人、障害者、幼児、老人のための日用品の支持材；
・ハイファイシステムの壊れ易い電子ユニットや電子部品のための防音防振のスペーサ；
・歯科医、外科医、自動車修理工、美容師が使用する専門用品のための支持材；
・多くの様々な工業用留め具；
・水中環境で使用可能な支持材。
【００４９】
本発明に係る上記の実施形態は、それらの具体的な性質により選択されたものである。いずれにせよ、本発明に含まれる全ての実施形態を完全に提示することは不可能である。特に、本発明の範囲を逸脱することなく、上記の手段は等価物と置き換えられても良い。
【図面の簡単な説明】
【００５０】
【図１】固定装置の第一の実施形態を示す安静位における正面図である。
【図２】固定装置の直径方向の断面図である。
【図３】固定装置の第二の実施形態を示す作動時における直径方向の断面図である。
【図１】
2008525075.tif 000003
【図２】
2008525075.tif 000004
2008525075.tif 000005
【国際調査報告】
2008525075.tif 000006
2008525075.tif 000007
2008525075.tif 000008
2008525075.tif 000009